(57)【特許請求の範囲】
【請求項１】
複数の数値を表示可能な表示部と、
画面上の複数の数値に共通の被選択表示状態を一定規則で単純移動することを指示する信号を出力し表示されている複数の数値の中から設定変更対象となる数値の選択を切り換える第１の操作部と、
一定規則での数値変更を指示する信号を出力し選択された数値の設定変更を行う第２の操作部と、
装置内部に登録される設定数値は、数値変更操作直後から予め規定された一定時間経過後に設定変更が確定し、数値変更操作直後から一定時間経過後の設定変更が確定するまでの時間帯においては、上記第２の操作部からの信号入力のみ有効とし、上記第１の操作部からの信号入力は、数値変更の緊急解除信号入力として用い、該緊急解除信号が入力された場合は、最新の数値変更操作は自動的にキャンセルされ元の数値設定に戻るように制御する制御部とを備えた数値変更装置。
【請求項２】
複数の数値あるいは選択項目を表示可能な表示部と、
画面上の複数の数値あるいは選択項目に共通の被選択表示状態を一定規則で単純移動することを指示する信号を出力し表示されている複数の数値あるいは選択項目の中から設定変更対象となる数値あるいは選択項目の選択を切り換える第１の操作部と、
一定規則での数値変更あるいは選択肢変更を指示する信号を出力し選択された数値の設定変更あるいは選択項目の選択肢変更を行う第２の操作部と、
切換対象の複数の画面を一定規則で単純変更を指示する信号を入力し、表示されている画面を切り替える第３の操作部と、
装置内部に登録される設定数値あるいは設定選択肢は、数値変更操作あるいは選択肢変更操作直後から予め規定された一定時間経過後に設定変更が確定し、数値変更あるいは選択肢変更操作直後から一定時間経過後の設定変更が確定するまでの時間帯においては、上記第２の操作部からの信号入力のみ有効とし、上記第１の操作部、上記第３の操作部からの信号入力は、数値変更あるいは選択肢変更の緊急解除信号入力として用い該緊急解除信号が入力された場合は、最新の数値変更操作あるいは選択肢変更操作は自動的にキャンセルされ元の数値設定あるいは選択肢設定に戻るように制御する制御部とを備えた数値変更装置。
【発明の詳細な説明】
【０００１】
【発明の属する技術分野】
この発明は、コントローラ等のデジタル数値表示を設定する数値設定装置に関し、人為的ミスの発生する確率を削減することができる数値設定装置に関するものである。
【０００２】
【従来の技術】
図２２は、例えば特公平６−８５１２１号公報に開示された従来の数値設定装置を示す構成図であり、図において、１は数値を入力するための数値入力手段、２はこの数値入力手段より入力された値を保持する入力バッファで、設定値記憶手段４、設定手段７を有する。３は数値入力手段１が操作される毎にリセットされ所定時間を計数する時間計数手段、４は設定値を記憶する設定値記憶手段、５は入力バッファ２に保持されている値を表示する表示手段、６は入力バッファ２に保持されている値を設定値として確定するための確定入力手段、７はこの確定入力手段が操作されるかまたは時間計数手段３が所定時間を計数することに応答して保持値を設定値記憶手段４に記憶する設定手段である。
【０００３】
次に動作について説明する。
数値入力手段１を操作して希望の数値を入力すると、その数値は入力バッファ２に記憶保持されるとともに、表示手段５に保持された数値が表示される。同時に時間計数手段３が時間の計測を開始する。この時間計数手段３は数値入力手段１が操作される毎にリセットされ、時間計測を最初から開始する。数値入力手段１の操作が終了して所定時間が経過すると、設定手段７により保持値が設定値記憶手段４にコピーされ、設定値として記憶保持される。また、数値入力手段１の操作後、時間計数手段３が所定時間の計測終了前に、確定入力手段６が操作された場合にも、設定手段７により入力バッファ２の保持値が設定値記憶手段４にコピーされ、設定値として記憶保持される。
【０００４】
【発明が解決しようとする課題】
従来の数値設定装置においては、誤操作により表示されている数値が一定時間経過により確定してしまう前に誤操作をキャンセルしたいという場合に、デリートキーが必要であり、小さなコントローラにあっては、このデリートキーのスペースを設けることが困難であるなどの課題があった。
【０００５】
また、重要な制御操作を行なっている際は、自分の操作ミスに気付いたときに即座に操作をキャンセルできないと、慌ててさらに誤った操作をするなどの課題があった。また、慌てていないにしても、複雑な操作規則により動作する数値変更装置では、緊急状態で操作をキャンセルする方法がわからなくなることもあり、キャンセル操作が手遅れになるなどの課題があった。
【０００６】
さらに、数値入力手段１にあっては、数値の入力に不必要な時にでも、押下されれば受け付けられるため、入力操作に不慣れなオペレータにあっては、常に操作マニュアル等を読みながら入力操作を行わなければならないなどの課題があった。
【０００７】
さらに、従来は、数値設定はテンキー主体、選択肢設定がキーボードからの文字入力またはマウス操作というように、操作部が別々に割り当てられ、操作知識が単純ではなかった。また、別の従来方式としては、選択肢設定を数値で選ぶような方法にすることにより、数値設定と共通の操作部で行なえるものもあるが、この場合も操作部は多く（テンキーの場合は少なくとも１０個以上）、操作部の構成も複雑で誤操作も起こりやすいなどの課題があった。
【０００８】
この発明は上記のような課題を解決するためになされたもので、人為的ミスの発生する確率を削減することができ、操作マニュアルを極力読まなくても、容易に操作することができる数値設定装置を得ることを目的とする。
【０００９】
【課題を解決するための手段】
請求項１記載の発明に係る数値設定装置は、複数の数値を表示可能な表示部と、画面上の複数の数値に共通の被選択表示状態を一定規則で単純移動することを指示する信号を出力し表示されている複数の数値の中から設定変更対象となる数値の選択を切り換える第１の操作部と、一定規則での数値変更を指示する信号を出力し選択された数値の設定変更を行う第２の操作部と、装置内部に登録される設定数値は、数値変更操作直後から予め規定された一定時間経過後に設定変更が確定し、数値変更操作直後から一定時間経過後の設定変更が確定するまでの時間帯においては、上記第２の操作部からの信号入力のみ有効とし、上記第１の操作部からの信号入力は、数値変更の緊急解除信号入力として用い、該緊急解除信号が入力された場合は、最新の数値変更操作は自動的にキャンセルされ元の数値設定に戻るように制御する制御部とを備えたものである。
【００１０】
請求項２記載の発明に係る数値設定装置は、複数の数値あるいは選択項目を表示可能な表示部と、画面上の複数の数値あるいは選択項目に共通の被選択表示状態を一定規則で単純移動することを指示する信号を出力し表示されている複数の数値あるいは選択項目の中から設定変更対象となる数値あるいは選択項目の選択を切り換える第１の操作部と、一定規則での数値変更あるいは選択肢変更を指示する信号を出力し選択された数値の設定変更あるいは選択項目の選択肢変更を行う第２の操作部と、切換対象の複数の画面を一定規則で単純変更を指示する信号を入力し表示されている画面を切り替える第３の操作部と、装置内部に登録される設定数値あるいは設定選択肢は、数値変更操作あるいは選択肢変更操作直後から予め規定された一定時間経過後に設定変更が確定し、数値変更あるいは選択肢変更操作直後から一定時間経過後の設定変更が確定するまでの時間帯においては、上記第２の操作部からの信号入力のみ有効とし、上記第１の操作部、上記第３の操作部からの信号入力は、数値変更あるいは選択肢変更の緊急解除信号入力として用い該緊急解除信号が入力された場合は、最新の数値変更操作あるいは選択肢変更操作は自動的にキャンセルされ元の数値設定あるいは選択肢設定に戻るように制御する制御部とを備えたものである。
【００１１】
【発明の実施の形態】
以下、この発明の実施の一形態を説明する。
参考例１．
図１はこの発明の参考例１による数値設定装置を示す構成図、図２はこの発明の参考例１による数値設定装置の表示画面を示す説明図である。図において、１１は選択切換指示信号入力装置であり、この選択切換指示信号入力装置１１は何れの変更処理対象が選択されているか、例えば、（「比例ゲイン」、「積分時間」、「微分時間」は、数値に属し、「モード」、「空調運転種類」は選択項目に属す）を切り換えるための選択切換指示信号ａを出力するもので（参考例１は数値のみを扱う）、例えば、図２に示すような１方向インチングキーが用いられる。
【００１２】
１２は選択切換指示信号入力装置１１からの選択切換指示信号ａを入力すると、何れの数値が変更処理対象として選択されているかを示す数値の表示色（または、背景の表示色）を次の数値に切り換えるための指示を行う選択表示切換信号ｂを出力するとともに、何れの数値が選択されているかを示す被選択数値信号ｄを出力する被選択数値切換処理部である。なお、数値確定判断部１６からの保留指示信号ｃを入力している間は、選択切換指示信号ａを入力しても選択表示切換信号ｂおよび被選択数値信号ｄは出力しない。
【００１３】
１３は変更処理対象の数値の数値変更指示信号ｅを出力する数値変更指示信号入力装置であり、図２に示すような１方向インチングキーが用いられるが、変更処理対象数値の切り換えのための１方向インチングキーとは、例えば、矢印の向いている方向が異なるように取り付けられている。
【００１４】
１４は数値変更処理部であり、被選択数値切換処理部１２からの被選択数値信号ｄを入力すると、内部に記憶されている変更処理対象の数値を次の数値に変更し、数値変更指示信号入力装置１３からの数値変更指示信号ｅを入力すると、内部に記憶されている変更処理対象数値における数値表示の切り換えを指示する数値表示切換信号ｆを出力するとともに、変更処理対象の数値の増減を指示する数値信号ｇを出力する。
【００１５】
１５は数値変更処理部１４からの数値信号ｇを入力すると、内部に記憶されている変更処理対象の数値を増減した後、保持し、数値確定判断部１６からの確定信号ｈを入力した場合に、保持した数値を記憶する数値変更確定処理部、１６は数値確定判断部であり、数値変更指示信号入力装置１３からの数値変更指示信号ｅを入力すると同時にタイマを開始し、所定時間（例えば、３秒間）が経過するまでに、次の数値変更指示信号ｅの入力がなければ、数値変更確定処理部１５に確定信号ｈを出力する。また、数値確定判断部１６は所定時間が経過するまで選択切換指示信号ａの入力を受け付けない保留指示信号ｃを被選択数値切換処理部１２に出力する。
【００１６】
１７は数値変更処理部１４からの数値表示切換信号ｆを入力すると、表示されている変更処理対象の数値を増減させる数値表示信号ｉを表示装置１９に出力する数値表示処理部、１８は被選択数値切換処理部１２からの選択表示切換信号ｂを入力すると、数値の表示色を次の数値に移動させる選択表示信号ｊを表示装置１９に出力する被選択数値表示処理部である。１９は選択表示信号ｊを入力すると数値の表示色を次の数値に移動し、数値表示信号ｉを入力すると変更処理対象の数値を増減する表示装置である。なお、上記符号１２，１４〜１８の各部によって制御部を構成している。
【００１７】
次に動作について説明する。
図３はこの発明の参考例１による数値設定装置の動作手順を示すフローチャートである。
まず、ステップＳＴ１において、被選択数値切換処理部１２は選択切換指示信号入力装置１１からの選択切換指示信号ａを検出したか否かを判断し、検出したときには、ステップＳＴ２に進み、被選択数値切換処理／表示処理を実行し、選択切換指示信号ａを検出していなければ、ステップＳＴ３に進む。
【００１８】
ここで、ステップＳＴ２の被選択数値切換処理／表示処理を説明する。
被選択数値切換処理部１２は選択表示切換信号ｂを被選択数値表示処理部１８に出力するとともに、被選択数値信号ｄを数値変更処理部１４に出力する。そして、被選択数値表示処理部１８は選択表示切換信号ｂを入力すると、選択表示信号ｊを表示装置１９に出力し、表示装置１９は、選択表示信号ｊに基づいて数値の表示色を次の数値に移動する。図２に基づいて説明すると、選択切換指示信号入力装置１１を押し続けることにより、数値表示色の変化は‘比例ゲイン’→‘積分時間’→‘微分時間’→‘比例ゲイン’→・・・のように移動する。表示色が変化する数値は常に１個以下であり、表示色が変化している数値が設定変更対象となる数値である。次に、数値変更処理部１４は被選択数値信号ｄを入力すると、内部に記憶されている変更処理対象の数値を次の数値に変更する。
【００１９】
ステップＳＴ３では、数値変更処理部１４は数値変更指示信号入力装置１３からの数値変更指示信号ｅを検出したか否かを判断し、検出したときには、ステップＳＴ４に進み、数値変更処理／表示処理を実行し、検出していなければステップＳＴ５に進む。
【００２０】
ここで、ステップＳＴ４の数値変更処理／表示処理について説明する。
数値変更処理部１４は数値変更指示信号入力装置１３からの数値変更指示信号ｅを入力すると、変更処理対象の数値の増減を指示する数値信号ｇを数値変更確定処理部１５に出力するとともに、数値表示切換信号ｆを数値表示処理部１７に出力する。そして、数値変更確定処理部１５では数値信号ｇを入力すると、内部に記憶されている変更処理対象の数値を増減した後、保持する。また、数値表示処理部１７では、この数値表示切換信号ｆを入力すると数値表示信号ｉを表示装置１９に出力し、表示装置１９では数値表示信号ｉの信号に基づいて変更処理対象として選択されている数値の表示を変更する。その後、ステップＳＴ６へ進む。
【００２１】
次に、ステップＳＴ３において、数値変更処理部１４は数値変更指示信号入力装置１３からの数値変更指示信号ｅを検出していないときには、ステップＳＴ５に進み、数値変更後の時間経過待ちの状態であるか否かを判断する。そして、この判断の結果、数値変更後の時間経過待ちの状態である場合には、ステップＳＴ６に進み、数値確定判断部１６では数値変更指示信号ｅの入力後、所定時間が経過したか否かを判断する。ステップＳＴ６の判断の結果、所定時間が経過した場合には、ステップＳＴ７に進み、数値変更確定処理部１５に確定信号ｈを出力し、数値変更確定処理部１５では、数値確定判断部１６からの確定信号ｈを入力した場合に、保持した数値を記憶する。
【００２２】
一方、ステップＳＴ６の判断の結果、所定時間が経過していない場合には、ステップＳＴ３へ戻る。また、ステップＳＴ５の判断の結果、数値変更後の時間経過待ちの状態でない場合には、ステップＳＴ８に進み、この数値設定処理を停止するか否かについての判定を行い、数値設定処理を継続するときには、ステップＳＴ１に処理を戻し、数値設定処理を停止する場合には終了する。
【００２３】
ここで、図２を参照し、数値変更の流れを説明する。
図２（ａ）に示すように変更処理対象の数値として比例ゲインの最小値が０、最大値が１００として設定され、現在の設定が４０である場合に、数値変更指示信号入力装置１３を連続的に押下すると、４０→４１→４２→・・・９８→９９→１００のように変化し、１００に達した時点で数値変更が一旦停止し、図２（ｂ）に示すように１００の数値が点滅する。その後、点滅から元の状態に戻り、図２（ｃ）１００→０→１→・・・のように下限値からの増加に切り換わる。ここで、例えば、数値を３８に設定し、設定操作後、３秒間が経過すると比例ゲインが３８に確定する。なお、この３秒間は３８から３９の数値変更操作は有効であるが、変更処理対象の数値を他の数値に切り換える操作は無効である。
【００２４】
以上のように、この参考例１によれば、わずかに２つの操作部により、複数の数値に対して一律同じ操作規則で数値変更ができるので、オペレータは最低限の操作方法を覚えるだけでよく、誤操作を削減することができる効果が得られる。また、操作部を極力減らすことができるので、装置構成も簡略化され、装置サイズを小型化でき、ゆえに製造コストも削減することができる効果が得られる。
【００２５】
参考例２．
図４はこの発明の参考例２による数値設定装置を示す構成図であり、図５はこの発明の参考例２による数値設定装置の表示画面を示す説明図である。図において、図１と同一符号および同一記号は同一または相当部分を示すので説明を省略する。２１は数値／選択項目設定被選択切換処理部であり、選択切換指示信号入力装置１１からの選択切換指示信号ａを入力すると、何れの数値あるいは選択項目が変更処理対象として選択されているかを示す、数値または文字の表示色（または背景の表示色）を、次の数値あるいは選択項目に切り換えるための指示を行う選択表示切換信号ｂを出力するとともに、数値（図５においては、比例ゲイン、積分時間、微分時間）または選択項目（図５においては、空調運転種類のみ）の何れの設定要素が選択されているかを示す被選択信号ｋを出力する。
【００２６】
なお、数値確定判断部１６または選択肢確定判断部２５からの保留指示信号ｃを入力している間は、選択切換指示信号ａを入力しても選択表示切換信号ｂおよび被選択信号ｋは出力しない。
【００２７】
２２は数値／選択項目設定変更処理切換部であり、被選択信号ｋに基づいて数値か選択項目かを判断し、数値の場合には、数値の中で何れの数値が変更処理対象として選択されているかを示す被選択数値信号ｄを数値変更処理部１４に出力し、選択項目の場合には、選択項目の中で何れの選択項目が変更処理対象として選択されているかを示す被選択・選択項目信号ｍを選択肢変更処理部２３に出力する。
【００２８】
２３は選択肢変更処理部であり、数値／選択項目設定変更処理切換部２２からの被選択・選択項目信号ｍを入力すると、内部に記憶されている変更処理対象の選択項目を次の選択項目に変更し、数値変更指示信号入力装置１３からの選択肢変更指示信号ｒを入力すると、記憶されている変更処理対象選択項目における選択肢表示の切り換えを指示するとともに、変更処理対象の選択項目の選択肢の変更を指示する数値信号ｐを出力する。２４は選択肢変更確定処理部であり、選択肢変更処理部２３からの数値信号ｐを入力すると、内部に記憶されている変更処理対象の選択項目の選択肢を変更した後、保持し、選択肢確定判断部２５からの確定信号ｑを入力した場合に、保持した選択肢を記憶する。
【００２９】
２５は選択肢確定判断部であり、変更処理対象として選択項目の何れかが選択されているときに数値変更指示信号入力装置１３からの選択肢変更指示信号ｒを入力すると同時にタイマを開始し、所定時間（例えば、３秒間）が経過するまでに、次の選択肢変更指示信号ｒの入力がなければ、選択肢変更確定処理部２４に確定信号ｑを出力する。また、選択肢確定判断部２５は所定時間が経過するまで選択切換指示信号ａの入力を受け付けない保留指示信号ｃを数値／選択項目設定被選択切換処理部２１に出力する。
【００３０】
２６は選択肢変更処理部２３からの選択肢表示切換信号ｎを入力すると、表示されている選択項目の選択肢を変更させる選択肢表示信号ｓを表示装置２８に出力する選択肢表示処理部、２７は数値／選択項目設定被選択切換処理部２１からの選択表示切換信号ｂを入力すると、数値または文字の表示色を次の数値あるいは選択項目に移動させる選択表示信号ｔを表示装置２８に出力する数値／選択項目設定被選択表示処理部である。２８は選択表示信号ｔを入力すると数値または文字の表示色を次の数値あるいは選択項目に移動し、数値表示信号ｉを入力すると変更処理対象の数値を増減し、選択肢表示信号ｓを入力すると変更処理対象の選択肢を変更する表示装置である。なお、上記符号１２，１４〜１８、２１〜２７の各部によって制御部を構成している。
【００３１】
次に動作について説明する。
図６はこの発明の参考例２による数値設定装置の動作手順を示すフローチャートであり、図３と同一符号は同一または相当部分を示すので説明を省略する。
まず、ステップＳＴ１１において、数値／選択項目設定被選択切換処理部２１は選択切換指示信号入力装置１１からの選択切換指示信号ａを検出したか否かを判断し、検出したときには、ステップＳＴ１２に進み、数値・選択項目設定被選択切換処理／表示処理を実行し、選択切換指示信号ａを検出していなければ、ステップＳＴ１３に進む。
【００３２】
ここで、ステップＳＴ１２の数値・選択項目設定被選択切換処理／表示処理を説明する。
数値／選択項目設定被選択切換処理部２１は、選択切換指示信号入力装置１１からの選択切換指示信号ａを入力すると、何れの数値あるいは選択項目が選択されているかを示す数値または文字の表示色を次の数値あるいは選択項目に切り換えるための指示を行う選択表示切換信号ｂを出力するとともに、数値（図５においては、比例ゲイン、積分時間、微分時間）または選択項目（図５においては、空調運転種類のみ）の何れの設定要素が選択されているかを示す被選択信号ｋを出力し、ステップＳＴ１３に進む。なお、数値確定判断部１６または選択肢確定判断部２５からの保留指示信号ｃを入力している間は、選択切換指示信号ａを入力しても選択表示切換信号ｂおよび被選択信号ｋは出力しない。
【００３３】
ステップＳＴ１３では、数値／選択項目設定変更処理切換部２２が数値／選択項目設定被選択切換処理部２１からの被選択信号ｋに基づいて、変更処理対象として選択されたものが数値か選択項目かを判断し、数値の場合には、数値の中で何れの数値が選択されているかを示す被選択数値信号ｄを数値変更処理部１４に出力し、ステップＳＴ３へ進む。一方、選択項目の場合には、選択項目の中で何れの選択項目が変更処理対象として選択されているかを示す被選択・選択項目信号ｍを選択肢変更処理部２３に出力し、ステップＳＴ１４に進む。なお、ステップＳＴ３からステップＳＴ７についての説明は、参考例１と同一であるので省略する。
【００３４】
ステップＳＴ１４では、選択肢変更処理部２３は数値変更指示信号入力装置１３からの選択肢変更指示信号ｒを検出したか否かを判断し、検出したときには、ステップＳＴ１５に進み、選択肢変更処理／表示処理を実行し、検出していなければステップＳＴ１６に進む。
【００３５】
ここで、ステップＳＴ１５の選択肢変更処理／表示処理について説明する。
選択肢変更処理部２３は数値変更指示信号入力装置１３からの選択肢変更指示信号ｒを入力すると、変更処理対象の選択項目の選択肢（冷房／暖房／外冷／停止）の変更を指示する数値信号ｐを選択肢変更確定処理部２４に出力するとともに、選択肢表示切換信号ｎを選択肢表示処理部２６に出力する。そして、選択肢変更確定処理部２４では数値信号ｐを入力すると、内部に記憶されている変更処理対象の選択項目の選択肢を変更した後、保持する。また、選択肢表示処理部２６では、選択肢表示切換信号ｎを入力すると選択肢表示信号ｓを表示装置２８に出力し、表示装置２８では選択肢表示信号ｓの信号に基づいて変更処理対象の選択項目の選択肢の表示を変更する。その後、ステップＳＴ１７へ進む。
【００３６】
一方、ステップＳＴ１４において、選択肢変更処理部２３は数値変更指示信号入力装置１３からの選択肢変更指示信号ｒを検出していないときには、ステップＳＴ１６に進み、選択肢変更後の時間経過待ちの状態であるか否かを判断する。そして、この判断の結果、選択肢変更後の時間経過待ちの状態である場合には、ステップＳＴ１７に進み、選択肢確定判断部２５では選択肢変更指示信号ｒの入力後、所定時間が経過したか否かを判断する。ステップＳＴ１７の判断の結果、所定時間が経過した場合には、ステップＳＴ１８に進み、選択肢変更確定処理部２４に確定信号ｑを出力し、選択肢変更確定処理部２４では、選択肢確定判断部２５からの確定信号ｑを入力した場合に、保持した選択肢を記憶する。
【００３７】
一方、ステップＳＴ１７の判断の結果、所定時間が経過していない場合には、ステップＳＴ１４へ戻る。また、ステップＳＴ１６の判断の結果、選択肢変更後の時間経過待ちの状態でない場合には、ステップＳＴ８に進み、数値設定処理または選択肢設定処理を停止するか否かについての判定を行い、数値設定処理または選択肢設定処理を継続するときには、ステップＳＴ１１に処理を戻し、数値設定処理または選択肢設定処理を停止する場合には終了する。
【００３８】
ここで、図５を参照し、選択肢変更の流れを説明する。
選択切換指示信号入力装置１１を連続的に押下すると、数値または文字表示色の変化は、‘比例ゲイン’→‘積分時間’→‘微分時間’→‘冷房／暖房／外冷／停止（空調運転種類）’→‘比例ゲイン’→・・・のように移動する。また、空調運転種類として、冷房／暖房／外冷／停止の中で、冷房が既に設定されているものとすると、図５の（ａ）のように‘冷房’が太字の表示になる。ここで、空調運転種類が選ばれているとき、数値変更指示信号入力装置１３を押下すると、図５の（ｂ）のように太字の表示が‘冷房’から‘暖房’に移動し、‘暖房’が点滅する。そして、３秒間経過すると図５の（ｃ）のように‘暖房’の表示が太字となり、確定される。
【００３９】
以上のように、この参考例２によれば、わずか２つの操作部（選択切換指示信号入力装置１１、数値変更指示信号入力装置１３）により、複数の数値および複数の選択項目に対して、一律同じ操作規則で数値変更および選択肢変更ができるので、オペレータは最低限の操作方法を覚えるだけでよく、誤操作を削減することができる効果が得られる。また、操作部を極力減らすことができるので、装置構成も簡略化され、装置サイズを小型化でき、ゆえに製造コストも削減できる効果が得られる。
【００４０】
参考例３．
図７はこの発明の参考例３による数値設定装置を示す構成図であり、図８はこの発明の参考例３による数値設定装置の表示画面を示す説明図である。図において、図１および図２と同一符号および同一記号は同一または相当部分を示すので説明を省略する。３２は画面切換指示信号入力装置３１からの画面切換指示信号ｕを入力すると、表示されている画面を切り換える画面切換処理／画面表示処理部であり、画面切換指示信号入力装置３１が押下される毎に画面表示信号ｖを表示装置３３に出力する。なお、画面切換処理／画面表示処理部３２は、数値確定判断部１６または選択肢確定判断部２５からの保留指示信号ｃを入力している間は、画面切換指示信号ｕを入力しても画面表示信号ｖを出力しない。すなわち、画面の切り換えは行えない。
【００４１】
３３は選択表示信号ｔを入力すると数値または文字の表示色を次の数値あるいは選択項目に移動し、数値表示信号ｉを入力すると変更処理対象の数値を増減し、選択肢表示信号ｓを入力すると変更処理対象の選択肢を変更し、画面表示信号ｖを入力すると画面の表示を切り換える表示装置である。
【００４２】
次に動作について説明する。
図９はこの発明の参考例３による数値設定装置の動作手順を示すフローチャートであり、図６と同一符号は同一または相当部分を示すので説明を省略する。まず、ステップＳＴ２１では画面切換処理／画面表示処理部３２は画面切換指示信号入力装置３１からの画面切換指示信号ｕを検出したか否かを判断し、検出したときには、ステップＳＴ２２に進み、画面切換処理／画面表示処理を実行する。一方、画面切換指示信号ｕを検出していないときには、ステップＳＴ１１に進む。画面切換処理／画面表示処理において、画面切換処理／画面表示処理部３２は画面切換指示信号入力装置３１が押下される毎に画面表示信号ｖを表示装置３３に出力する。表示装置３３では画面表示信号ｖを入力すると画面の表示を切り換え、ステップＳＴ１１へ進む。
【００４３】
以上のように、この参考例３によれば、３つの操作部（選択切換指示信号入力装置１１、数値変更指示信号入力装置１３、画面切換指示信号入力装置３１）により、複数の数値、複数の選択項目、複数の画面に対して、一律同じ操作規則で数値変更、選択肢変更、および画面表示変更ができるので、オペレータは最低限の操作方法を覚えるだけでよく、誤操作を削減することができる効果が得られる。また、操作部を極力減らすことができるので、装置構成も簡略化され、装置サイズを小型化でき、ゆえに製造コストも削減できる効果が得られる。
【００４４】
参考例４．
図１０はこの発明の参考例４による数値設定装置を示す構成図であり、図において、図１から図９と同一符号および同一記号は同一または相当部分を示すので説明を省略する。参考例３の表示装置３３には、数値の変更を行うために１つの数値変更指示信号入力装置１３を設けていたが、この参考例４の表示装置４１には、数値変更指示信号入力装置１３の代わりに、数値増加指示信号入力装置４２と数値減少指示信号入力装置４３とが設けられている。
【００４５】
数値増加指示信号入力装置４２では、数値の入力のときに数値増加指示信号を数値変更処理部１４および数値確定判断部１６に出力し、選択肢の選択のときには選択肢繰上指示信号を選択肢変更処理部２３および選択肢確定判断部２５に出力する。数値減少指示信号入力装置４３では、数値の入力のときに数値減少指示信号を数値変更処理部１４および数値確定判断部１６に出力し、選択肢の選択のときには選択肢繰下指示信号を選択肢変更処理部２３および選択肢確定判断部２５に出力する。
【００４６】
以上のように、この参考例４によれば、４つの操作部（選択切換指示信号入力装置１１、画面切換指示信号入力装置３１、数値増加指示信号入力装置４２、および数値減少指示信号入力装置４３）により、複数の数値、複数の選択項目、複数の画面に対して、一律同じ操作規則で数値変更、選択肢変更、および画面表示変更ができるので、オペレータが最低限の操作方法を覚えるだけでよく、誤操作を削減することができる効果が得られる。また、操作部を極力減らすことができるので、装置構成も簡略化され、装置サイズを小型化でき、ゆえに製造コストも削減できる効果が得られる。
【００４７】
参考例５．
図１１はこの発明の参考例５による数値設定装置を示す構成図であり、図において、図１から図１０と同一符号および同一記号は同一または相当部分を示すので説明を省略する。参考例４の表示装置４１では、変更処理対象の設定要素を切り換えるために１つの選択切換指示信号入力装置１１を設けていたが、この参考例５の表示装置５１では、選択切換指示信号入力装置１１の代わりに、選択切換順方向信号入力装置５２および選択切換逆方向信号入力装置５３とが設けられている。
【００４８】
選択切換順方向信号入力装置５２では、押下された場合に複数の選択項目を順方向に切り換えるための選択切換指示信号を数値／選択項目設定被選択切換処理部２１に出力する。選択切換逆方向信号入力装置５３では、押下された場合に複数の選択項目を逆方向に切り換えるための選択切換指示信号を数値／選択項目設定被選択切換処理部２１に出力する。
【００４９】
以上のように、この参考例５によれば、５つの操作部（画面切換指示信号入力装置３１、数値増加指示信号入力装置４２、数値減少指示信号入力装置４３、選択切換順方向信号入力装置５２および選択切換逆方向信号入力装置５３）により、複数の数値、複数の選択項目、複数の画面に対して、一律同じ操作規則で数値変更、選択肢変更、および画面表示変更ができるので、オペレータが最低限の操作方法を覚えるだけでよく、誤操作を削減することができる効果が得られる。また、操作部を極力減らすことができるので、装置構成も簡略化され、装置サイズを小型化でき、ゆえに製造コストも削減できる効果が得られる。
【００５０】
参考例６．
図１２はこの発明の参考例６による数値設定装置を示す構成図であり、図において、図１から図１１と同一符号および同一記号は同一または相当部分を示すので説明を省略する。参考例５の表示装置５１には、画面を切り換えるために１つの画面切換指示信号入力装置３１を設けていたが、この参考例６の表示装置６１では、画面切換指示信号入力装置３１の代わりに、画面を順方向に切り換える画面切換順方向信号入力装置６２と、画面を逆方向に切り換える画面切換逆方向信号入力装置６３とが設けられている。
【００５１】
画面切換順方向信号入力装置６２では、押下された場合に複数の画面を順方向に切り換えるための画面切換順方向信号を画面切換処理／画面表示処理部３２に出力する。画面切換逆方向信号入力装置６３では、押下された場合に複数の画面を逆方向に切り換えるための画面切換逆方向信号を画面切換処理／画面表示処理部３２に出力する。
【００５２】
以上のように、この参考例６によれば、６つの操作部（画面切換順方向信号入力装置６２、画面切換逆方向信号入力装置６３、数値増加指示信号入力装置４２、数値減少指示信号入力装置４３、選択切換順方向信号入力装置５２および選択切換逆方向信号入力装置５３）により、複数の数値、複数の選択項目、複数の画面に対して、一律同じ操作規則で数値変更、選択肢変更、および画面表示変更ができるので、オペレータが最低限の操作方法を覚えるだけでよく、誤操作を削減することができる効果が得られる。また、操作部を極力減らすことができるので、装置構成も簡略化され、装置サイズを小型化でき、ゆえに製造コストも削減できる効果が得られる。
【００５３】
実施の形態１．
図１３はこの発明の実施の形態１による数値設定装置を示す構成図であり、図において、図１と同一符号および同一記号は同一または相当部分を示すので説明を省略する。１６は参考例１で説明した数値確定判断部であるが、この実施の形態１では数値変更指示信号入力装置１３からの数値変更指示信号ｅを入力したときに、確定保留信号ｗを出力し、所定時間経過後に数値変更確定処理部１５に確定信号ｈを出力するものである。７１は緊急解除信号処理部であり、数値確定判断部１６からの確定保留信号ｗの入力後、所定の時間が経過するまでの時間帯において選択切換指示信号入力装置１１からの選択切換指示信号ａを入力したときに、緊急解除動作停止信号ｘを被選択数値切換処理部１２に出力するとともに、数値変更処理部１４に緊急解除信号ｙを出力する。
【００５４】
１２は参考例１で説明した被選択数値切換処理部であるが、この実施の形態１では、緊急解除信号処理部７１からの緊急解除動作停止信号ｘを入力している間は、選択切換指示信号入力装置１１からの選択切換指示信号ａを受け付けないものである。１４は参考例１で説明した数値変更処理部であるが、この実施の形態１では、緊急解除信号処理部７１からの緊急解除信号ｙを入力すると、内部に記憶している数値変更操作実行前の確定数値に戻した後、この数値を数値表示切換信号ｆを介して数値表示処理部１７に出力する。
【００５５】
次に動作について説明する。
図１４はこの発明の実施の形態１による数値設定装置の動作手順を示すフローチャートであり、図３と同一符号は同一または相当部分を示すので説明を省略する。ステップＳＴ３１では、数値変更後の時間経過待ちの状態であるか否かを判断する。そして、この判断の結果、数値変更後の時間経過待ちである場合には、緊急解除信号処理部７１が緊急解除動作停止信号ｘを出力することによりステップＳＴ３２に進み、数値変更操作解除処理を実行する。この数値変更操作解除処理では、緊急解除信号処理部７１が緊急解除信号ｙを出力し、数値変更処理部１４で内部に記憶している数値変更操作実行前の確定数値に戻し、また、緊急解除に伴い所定時間が経過したという扱いに時間計測をリセットし、ステップＳＴ３３に進む。
【００５６】
また、ステップＳＴ６は、緊急解除により数値変更操作実行前の確定数値に戻された数値と緊急解除に伴い所定時間が経過したという扱いに時間計測をリセットしたことにより、一定時間経過と判断しステップＳＴ７に進む。
【００５７】
ステップＳＴ３３では、参考例１のステップＳＴ４の処理に加え、緊急解除により数値変更操作実行前の確定数値に戻された数値の表示処理を行う。この数値を数値表示切換信号ｆを介して数値表示処理部１７に出力する。数値表示処理部１７では、数値変更処理部１４からの数値表示切換信号ｆを入力すると、表示されている変更処理対象の数値を数値変更操作実行前の元の数値設定に戻した数値表示信号ｉを表示装置１９に出力する。
【００５８】
ここで、数値変更操作解除処理の具体例について説明する。
図１５はこの発明の実施の形態１による数値設定装置の表示画面を示す説明図である。例えば、現在の設定が４０であるとき、数値変更指示信号入力装置１３を押下し続けることにより、４０→４１→…５８→５９のように数値を増加させ５９に到達した時点で、押下をやめると、５９の表示が予め規定された３秒間点滅する（あるいは数値の表示色、あるいは数値の背景の表示色が変化する）。この点滅中に、さらに数値変更指示信号入力装置１３を押下し続けると、５９→６０→…のように数値増加を継続できるが、この点滅中に変更処理対象の数値を切り換えるために、選択切換指示信号入力装置１１を押下すると、この操作は緊急解除処理として扱われ、数値表示が即座に５９→４０のように元の数値設定に戻る。
【００５９】
以上のように、この実施の形態１によれば、数値変更を行なおうとしているオペレータが自分の操作ミスに気付いたときに、自分の誤操作を容易にキャンセルすることができる効果が得られる。
【００６０】
実施の形態２．
図１６はこの発明の実施の形態２による数値設定装置を示す構成図であり、図において、上記と同一符号および同一記号は同一または相当部分を示すので説明を省略する。また、図１７はこの発明の実施の形態２による数値設定装置の動作手順を示すフローチャートであり、上記と同一符号は同一または相当部分を示すので説明を省略する。ステップＳＴ４１の選択肢変更操作解除処理では、緊急解除信号処理部７１が緊急解除信号ｙを出力し、選択肢変更処理部２３で内部に記憶している選択肢変更操作実行前の確定選択肢に戻し、また、緊急解除に伴い所定時間が経過したという扱いに時間計測をリセットし、ステップＳＴ１５に進む。
【００６１】
この実施の形態２では、参考例２の数値設定装置に実施の形態１で示した緊急解除信号処理部７１を組み合わせ、選択肢変更操作解除処理を実行させるようにしたものである。以下に、選択肢変更操作解除処理の具体例を図１８を用いて説明する。例えば、現在の設定が‘冷房’であるとき、数値変更指示信号入力装置１３を連続的に押下することにより太字の表示が‘暖房’→‘外気冷房’→‘停止’→‘冷房’→・・・に移動する。そして、太字の表示が‘暖房’になったところで、数値変更指示信号入力装置１３の押下をやめると、‘暖房’の表示が予め規定された３秒間点滅する（あるいは数値の表示色、あるいは数値の背景の表示色が変化する）。
【００６２】
この点滅中に、さらに数値変更指示信号入力装置１３を押下すると、‘暖房’→‘外気冷房’のように選択肢を変更することができるが、この点滅中に変更処理対象の選択項目を切り換えるために選択切換指示信号入力装置１１を押下すると、この操作は緊急解除処理として扱われ、選択肢表示が即座に‘暖房’→‘冷房’のように元の選択肢設定に戻る。
【００６３】
以上のように、この実施の形態２によれば、数値変更あるいは選択肢変更を行なおうとしているオペレータが自分の操作ミスに気付いたときに、自分の誤操作を容易にキャンセルすることができる効果が得られる。
【００６４】
実施の形態３．
図１９はこの発明の実施の形態３による数値設定装置を示す構成図であり、図において、上記と同一符号および同一記号は同一または相当部分を示すので説明を省略する。また、図２０はこの発明の実施の形態３による数値設定装置の動作手順を示すフローチャートであり、上記と同一符号は同一または相当部分を示すので説明を省略する。ステップＳＴ５１では、画面切換処理／画面表示処理部３２は画面切換指示信号入力装置３１からの画面切換指示信号ｕを検出したか否かを判断し、検出したときには、ステップＳＴ３１に進み、一方、画面切換指示信号ｕを検出していないときには、ステップＳＴ１３に進む。
【００６５】
この実施の形態３では、参考例３の数値設定装置に実施の形態１で示した緊急解除信号処理部７１を組み合わせ、数値変更操作解除処理および選択肢変更操作解除処理を実行させるようにしたものである。なお、操作部としては図２１（ａ），（ｂ）に示すようなものが考えられる。
以上のように、この実施の形態３によれば、数値変更あるいは選択肢変更を行なおうとしているオペレータが自分の操作ミスに気付いたときに、自分の誤操作を容易にキャンセルすることができる効果が得られる。
【００６６】
【発明の効果】
以上のように、請求項１記載の発明によれば、装置内部に登録される設定数値は、数値変更操作直後から予め規定された０秒以上の一定時間経過後に設定変更が確定し、数値変更操作直後から一定時間経過後の設定変更が確定するまでの時間帯においては、上記第２の操作部からの信号入力のみ有効とし、上記第１の操作部からの信号入力は、数値変更の緊急解除信号入力として用い該緊急解除信号が入力された場合は、最新の数値変更操作は自動的にキャンセルされ元の数値設定に戻し、画面上に表示される変更可能な複数の数値は、全て上記第１の操作部および上記第２の操作部だけで任意の値に変更するように構成したので、数値変更操作を実行中は、数値変更操作以外は緊急解除信号入力操作部となり、誤り操作のキャンセルを確実に行うことができ、人為的ミスの発生確率の削減とともに、上記２つの操作部だけで複数の数値設定変更を可能にし、オペレータに要求される操作知識を削減できる効果がある。
【００６７】
請求項２記載の発明によれば、装置内部に登録される設定数値あるいは設定選択肢は、数値変更操作あるいは選択肢変更操作直後から予め規定された０秒以上の一定時間経過後に設定変更が確定し、数値変更あるいは選択肢変更操作直後から一定時間経過後の設定変更が確定するまでの時間帯においては、上記第２の操作部からの信号入力のみ有効とし、上記第１の操作部、上記第３の操作部からの信号入力は、数値変更あるいは選択肢変更の緊急解除信号入力として用い該緊急解除信号が入力された場合は、最新の数値変更操作あるいは選択肢変更操作は自動的にキャンセルされ元の数値設定あるいは選択肢設定に戻るように構成したので、選択切換の第１の操作部と数値変更の第２の操作部および画面切換の第３の操作部だけで、複数画面に分散する複数の数値設定変更および複数の選択肢設定変更を可能にするとともに、数値変更操作あるいは選択肢変更操作を実行中は、数値変更操作あるいは選択肢変更操作以外は緊急解除信号入力操作部となり、誤り操作のキャンセルを確実に行うことができ、人為的ミスの発生確率の削減とともに、上記３つの操作部だけで複数の数値設定変更および複数の選択肢設定変更を可能にし、オペレータに要求される操作知識を削減できる効果がある。
【図面の簡単な説明】
【図１】  この発明の参考例１による数値設定装置を示す構成図である。
【図２】  この発明の参考例１による数値設定装置の表示画面を示す説明図である。
【図３】  この発明の参考例１による数値設定装置の動作手順を示すフローチャートである。
【図４】  この発明の参考例２による数値設定装置を示す構成図である。
【図５】  この発明の参考例２による数値設定装置の表示画面を示す説明図である。
【図６】  この発明の参考例２による数値設定装置の動作手順を示すフローチャートである。
【図７】  この発明の参考例３による数値設定装置を示す構成図である。
【図８】  この発明の参考例３による数値設定装置の表示画面を示す説明図である。
【図９】  この発明の参考例３による数値設定装置の動作手順を示すフローチャートである。
【図１０】  この発明の参考例４による数値設定装置の表示画面を示す説明図である。
【図１１】  この発明の参考例５による数値設定装置の表示画面を示す説明図である。
【図１２】  この発明の参考例６による数値設定装置の表示画面を示す説明図である。
【図１３】  この発明の実施の形態１による数値設定装置を示す構成図である。
【図１４】  この発明の実施の形態１による数値設定装置の動作手順を示すフローチャートである。
【図１５】  この発明の実施の形態１による数値設定装置の表示画面を示す説明図である。
【図１６】  この発明の実施の形態２による数値設定装置を示す構成図である。
【図１７】  この発明の実施の形態２による数値設定装置の動作手順を示すフローチャートである。
【図１８】  この発明の実施の形態２による数値設定装置の表示画面を示す説明図である。
【図１９】  この発明の実施の形態３による数値設定装置を示す構成図である。
【図２０】  この発明の実施の形態３による数値設定装置の動作手順を示すフローチャートである。
【図２１】  この発明の実施の形態３による数値設定装置の表示画面を示す説明図である。
【図２２】  従来の数値設定装置を示す構成図である。
【符号の説明】
１１  選択切換指示信号入力装置
１２  被選択数値切換処理部
１３  数値変更指示信号入力装置
１４  数値変更処理部
１５  数値変更確定処理部
１６  数値確定判断部
１７  数値表示処理部
１８  被選択数値表示処理部
１９，２８，３３，４１，５１，６１  表示装置
２１  数値／選択項目設定被選択切換処理部
２２  数値／選択項目設定変更処理切換部
２３  選択肢変更処理部
２４  選択肢変更確定処理部
２５  選択肢確定判断部
２６  選択肢表示処理部
２７  数値／選択項目設定被選択表示処理部
３１  画面切換指示信号入力装置
３２  画面切換処理／画面表示処理部
７１  緊急解除信号処理部
【図１】
0003751489.tif 000002
【図２】
0003751489.tif 000003
【図３】
0003751489.tif 000004
【図４】
0003751489.tif 000005
【図５】
0003751489.tif 000006
【図６】
0003751489.tif 000007
【図７】
0003751489.tif 000008
【図８】
0003751489.tif 000009
【図９】
0003751489.tif 000010
【図１０】
0003751489.tif 000011
【図１１】
0003751489.tif 000012
【図１２】
0003751489.tif 000013
【図１３】
0003751489.tif 000014
【図１４】
0003751489.tif 000015
【図１５】
0003751489.tif 000016
【図１６】
0003751489.tif 000017
【図１７】
0003751489.tif 000018
【図１８】
0003751489.tif 000019
【図１９】
0003751489.tif 000020
【図２０】
0003751489.tif 000021
【図２１】
0003751489.tif 000022
【図２２】
0003751489.tif 000023